(57)【要約】【課題】ユーザの操作中における機器（情報表示装置）の消費電力を低減し、バッテリによる動作時間を長くする。【解決手段】情報表示装置は、機器各部を制御する第１の処理部と、前記機器各部のうち記憶済みのコンテンツのディスプレイへの表示制御に必要な部分を制御する第２の処理部とを備える。さらに、情報表示装置は、前記第１の処理部を動作状態にした第１の動作モードと、前記第１の処理部を非動作状態またはスリープ状態にし、前記第２の処理部を動作状態にして、記憶済みのコンテンツを用いてユーザの操作に応じた表示制御を行なう第２の動作モードと、を有する。【選択図】図１
2013114452.tif 000002
【特許請求の範囲】
【請求項１】
機器各部を制御する第１の処理部と、前記機器各部のうち記憶済みのコンテンツのディスプレイへの表示制御に必要な部分を制御する第２の処理部とを備え、
前記第１の処理部を動作状態にした第１の動作モードと、
前記第１の処理部を非動作状態またはスリープ状態にし、前記第２の処理部を動作状態にして、記憶済みのコンテンツを用いてユーザの操作に応じた表示制御を行なう第２の動作モードと、
を有することを特徴とする情報表示装置。
【請求項２】
前記第２の動作モードにおいて、前記記憶済みのコンテンツ以外のコンテンツの表示を要求する所定の操作を受け付けるまで、前記第２の動作モードで動作する請求項１の情報表示装置。
【請求項３】
前記第２の処理部は、前記第１の処理部とは独立したメモリを有し、前記メモリにコンテンツを記憶して、前記ユーザの操作に応じた表示制御を行なう請求項１または２の情報表示装置。
【請求項４】
ユーザの操作に応じた表示中のコンテンツの記憶が完了すると、前記第１の動作モードから前記第２の動作モードに遷移する請求項１から３いずれか一の情報表示装置。
【請求項５】
前記所定の操作は、前記記憶済みのコンテンツ以外のコンテンツの要求操作である請求項２の情報表示装置。
【請求項６】
前記所定の操作は、前記記憶済みのコンテンツを用いて前記ディスプレイに表示されているリンクの選択、または、ボタンオブジェクトの押下を含む請求項２の情報表示装置。
【請求項７】
前記第２の処理部は、前記記憶済みのコンテンツから、前記第１の動作モードへ遷移する画面上の領域を抽出し、
ユーザにより選択操作が行われた画面上の位置が、前記画面上の領域に含まれる場合に第１の動作モードへ遷移する請求項１から６いずれか一の情報表示装置。
【請求項８】
前記第１の動作モードまたは第２の動作モードにおいて、所定の期間、無操作状態が継続すると、前記第１、第２の処理部の双方を非動作状態またはスリープ状態にした省電力動作モードに遷移する請求項１から７いずれか一の情報表示装置。
【請求項９】
機器各部を制御する第１の処理部と、前記機器各部のうち記憶済みのコンテンツのディスプレイへの表示制御に必要な部分を制御する第２の処理部とを備え、
前記第１の処理部を動作状態にした第１の動作モードと、
前記第１の処理部を非動作状態またはスリープ状態にし、前記第２の処理部を動作状態にして、記憶済みのコンテンツを用いてユーザの操作に応じた表示制御を行なう第２の動作モードと、を有する情報表示装置の動作モード変更方法であって、
少なくとも、ユーザの操作に応じた表示中のコンテンツの記憶が完了すると、前記第１の動作モードから前記第２の動作モードに遷移し、
前記第２の動作モードにおいて、前記記憶済みのコンテンツ以外のコンテンツの表示を要求する所定の操作を受け付けるまで、前記第２の動作モードで動作し、前記記憶済みのコンテンツ以外のコンテンツの表示を要求する所定の操作を受け付けると、前記第１の動作モードに復帰すること、を特徴とする動作モード変更方法。
【請求項１０】
機器各部を制御する第１の処理部と、前記機器各部のうち記憶済みのコンテンツのディスプレイへの表示制御に必要な部分を制御する第２の処理部とを備え、
前記第１の処理部を動作状態にした第１の動作モードと、
前記第１の処理部を非動作状態またはスリープ状態にし、前記第２の処理部を動作状態にして、記憶済みのコンテンツを用いてユーザの操作に応じた表示制御を行なう第２の動作モードと、を有する情報表示装置に実行させるプログラムであって、
少なくとも、ユーザの操作に応じた表示中のコンテンツの記憶が完了すると、前記第１の動作モードから前記第２の動作モードに遷移する処理と、
前記第２の動作モードにおいて、前記記憶済みのコンテンツ以外のコンテンツの表示を要求する所定の操作を受け付けるまで、前記第２の動作モードで動作し、前記記憶済みのコンテンツ以外のコンテンツの表示を要求する所定の操作を受け付けると、前記第１の動作モードに復帰する処理を前記情報表示装置に搭載されたコンピュータに実行させるプログラム。
【発明の詳細な説明】
【技術分野】
【０００１】
本発明は、情報表示装置、その動作モード変更方法及びプログラムに関し、特に、電力消費の少ない省電力動作モードを有する情報表示装置、その動作モード変更方法及びプログラムに関する。
【背景技術】
【０００２】
特許文献１には、必要時以外は表示器部分への電源供給を停止することにより、さらに消費電力を節約し、連続使用時間を長くできるという携帯電話機が開示されている。より具体的には、同文献によると、この携帯電話機は、任意のキー入力又はフラップ（蓋）を開ける操作または着信によって、電源スイッチをＯＮにして表示器への電源供給を開始し、特定時間キー入力が行われない場合又は、フラップを閉じる操作によって電源スイッチをＯＦＦにして表示器への電源供給を停止する、と記載されている。
【０００３】
また、特許文献２には、待機中（スリープ状態）の省電力表示モードにおいて、ＬＣＤだけではなく、制御部などの低消費電力化も行うことができるようにした情報処理装置が開示されている。より具体的には、同文献によると、この情報処理装置は、通常表示モードを制御する主制御部と、省電力表示モードを制御する省電力表示制御部とを備え、前記通常表示モード時には、前記主制御部がアクティブ状態となって前記通常表示モードを制御し、前記省電力表示モード時には、前記主制御部がスリープ状態になり、前記省電力表示制御部がアクティブ状態となって前記省電力表示モードを制御すると、記載されている。
【先行技術文献】
【特許文献】
【０００４】
【特許文献１】特開平１１−１１２６２２号公報
【特許文献２】特開２００４−２８８０８７号公報
【発明の概要】
【発明が解決しようとする課題】
【０００５】
以下の分析は、本発明によって与えられたものである。特許文献１に代表されるように、必要時以外は表示器部分への電源供給を停止する省電力動作モード（以下、「省電力モード」ともいう。）を備えた機器が知られている。特許文献２では、ＬＣＤ（Ｌｉｑｕｉｄ  Ｃｒｙｓｔａｌ  Ｄｉｓｐｌａｙ）の消灯動作に代えて、表示画面の一部を使ったパーシャル表示をなしうる専用表示処理部を設けた構成が開示されている。これら特許文献１、２の機器は、所定期間無操作状態になると、省電力動作モードに遷移し、省電力動作モードにおいてキー操作等が行われると、通常の動作モードに復帰する。
【０００６】
近年の携帯型機器では、多機能化、高機能化が進展しているため、通常の動作モードにおいても更なる消費電力の低減が要請されている。しかしながら、特許文献１、２のいずれにも、ユーザの操作中における携帯型機器（情報表示装置）の消費電力の低減策は開示されてない。
【０００７】
本発明は、上記した事情に鑑みてなされたものであって、その目的とするところは、ユーザによる操作中における情報表示装置の消費電力をさらに低減し、また、バッテリによる動作時間を長くすることのできる情報表示装置、その動作モード変更方法及びプログラムを提供することにある。
【課題を解決するための手段】
【０００８】
本発明の第１の視点によれば、機器各部を制御する第１の処理部と、前記機器各部のうち記憶済みのコンテンツのディスプレイへの表示制御に必要な部分を制御する第２の処理部とを備え、前記第１の処理部を動作状態にした第１の動作モードと、前記第１の処理部を非動作状態またはスリープ状態にし、前記第２の処理部を動作状態にして、記憶済みのコンテンツを用いてユーザの操作に応じた表示制御を行なう第２の動作モードと、を有する情報表示装置が提供される。
【０００９】
本発明の第２の視点によれば、機器各部を制御する第１の処理部と、前記機器各部のうち記憶済みのコンテンツのディスプレイへの表示制御に必要な部分を制御する第２の処理部とを備え、
前記第１の処理部を動作状態にした第１の動作モードと、前記第１の処理部を非動作状態またはスリープ状態にし、前記第２の処理部を動作状態にして、記憶済みのコンテンツを用いてユーザの操作に応じた表示制御を行なう第２の動作モードと、を有する情報表示装置の動作モード変更方法であって、少なくとも、ユーザの操作に応じた表示中のコンテンツの記憶が完了すると、前記第１の動作モードから前記第２の動作モードに遷移し、前記第２の動作モードにおいて、前記記憶済みのコンテンツ以外のコンテンツの表示を要求する所定の操作を受け付けるまで、前記第２の動作モードで動作し、前記記憶済みのコンテンツ以外のコンテンツの表示を要求する所定の操作を受け付けると、前記第１の動作モードに復帰する動作モード変更方法が提供される。本方法は、コンテンツを表示する情報表示装置という、特定の機械に結びつけられている。
【００１０】
本発明の第３の視点によれば、機器各部を制御する第１の処理部と、前記機器各部のうち記憶済みのコンテンツのディスプレイへの表示制御に必要な部分を制御する第２の処理部とを備え、前記第１の処理部を動作状態にした第１の動作モードと、前記第１の処理部を非動作状態またはスリープ状態にし、前記第２の処理部を動作状態にして、記憶済みのコンテンツを用いてユーザの操作に応じた表示制御を行なう第２の動作モードと、を有する情報表示装置に実行させるプログラムであって、少なくとも、ユーザの操作に応じた表示中のコンテンツの記憶が完了すると、前記第１の動作モードから前記第２の動作モードに遷移する処理と、前記第２の動作モードにおいて、前記記憶済みのコンテンツ以外のコンテンツの表示を要求する所定の操作を受け付けるまで、前記第２の動作モードで動作し、前記記憶済みのコンテンツ以外のコンテンツの表示を要求する所定の操作を受け付けると、前記第１の動作モードに復帰する処理を前記情報表示装置に搭載されたコンピュータに実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１１】
本発明によれば、ユーザによる機器（情報表示装置）の操作中における消費電力を低減し、バッテリによる動作時間を長くすることができる。
【図面の簡単な説明】
【００１２】
【図１】本発明の一実施形態の構成を示す図である。
【図２】本発明の一実施形態における動作モードの遷移を示す図である。
【図３】図２の続図である。
【図４】図３の続図である。
【図５】本発明の第１の実施形態の情報表示装置の構成を示すブロック図である。
【図６】図５において第１の動作モードのときにアクティブ状態となる部位を示す図である。
【図７】図５において第２の動作モードのときにアクティブ状態となる部位を示す図である。
【図８】本発明の第１の実施形態の情報表示装置の動作を表した流れ図である。
【図９】本発明の第１の実施形態の情報表示装置においてある画面の表示が完了した段階を示す図である。
【図１０】図９の画面において設定される復帰領域を示す図である。
【図１１】図８のステップＳ００５〜Ｓ００６における具体的な処理の例を説明するための流れ図である。
【図１２】本発明の第１の実施形態における画面表示範囲と、メモリ２２に記憶される範囲との関係を示す図である。
【発明を実施するための形態】
【００１３】
はじめに本発明の一実施形態の概要について図面を参照して説明する。本発明は、その一実施形態において、図１に示すように、機器各部を制御するとともに外部からコンテンツを取得する第１処理部１０Ａと、第２処理部２０Ａと、ディスプレイ（表示部）３０と、操作部４０と、を含む情報表示装置にて実現できる。なお、この概要に付記した図面参照符号は、理解を助けるための一例として各要素に便宜上付記したものであり、本発明を図示の態様に限定することを意図するものではない。
【００１４】
第２処理部２０Ａは、ＣＰＵ２１と、メモリ２２と、ディスプレイへの表示を行う表示制御部２３とを備え、前記機器各部のうち、メモリ２２に記憶済みのコンテンツのディスプレイ３０への表示制御に必要な部分を制御する。
【００１５】
この情報表示装置は、第１処理部１０Ａを動作状態にした第１の動作モードと、第１処理部１０Ａを非動作状態またはスリープ状態にし、第２処理部２０Ａを動作状態にして、記憶済みのコンテンツを用いてユーザの操作に応じた表示制御（オフライン表示制御）を行なう第２の動作モードと、を有する。
【００１６】
上記のような構成を持つ情報表示装置の具体例としては、携帯電話端末、スマートフォン、ＰＤＡ（Ｐｅｒｓｏｎａｌ  Ｄｉｇｉｔａｌ  Ａｓｓｉｓｔａｎｔ）、パーソナルコンピュータ、タブレット端末、電子書籍リーダー、電子辞書、デジタルカメラのほか、各種情報家電などが挙げられる。
【００１７】
続いて、上記した情報表示装置の動作について説明する。この情報表示装置は、図２に示すように、メニュー画面から任意の機能が選択されると、第１の動作モードにて動作し、ユーザより選択された機能の画面を表示する（図２の符号１００Ａ〜１００Ｂ参照）。この際に第１処理部１０Ａは、必要に応じて、補助記憶装置や外部ネットワークからディスプレイ３０に表示する画面のデータ、即ち、コンテンツを取得する。
【００１８】
前記画面の表示の完了あるいは、前記画面の表示と並行して、情報表示装置は、前記表示した画面のデータをその第２処理部２０Ａのメモリ２２に記憶する。また、情報表示装置は、画面の表示完了、あるいは、画面表示後から所定時間の経過といった情報表示装置の種類や用途毎に定められたタイミングで、第２の動作モードに遷移する（図２の符号１００Ｂ参照）。第２の動作モードに遷移すると、少なくとも第１処理部１０Ａが非動作状態またはスリープ状態になるため、第１の動作モードで動作している状態と比較して消費電力が低減する。
【００１９】
その後、情報表示装置は、ユーザから受け付けた操作内容がスクロール操作等（拡大・縮小も可）のメモリ２２に記憶済みの内容を用いて表示できる内容である限りにおいて、第２の動作モードで動作を続ける（図２の符号１００Ｃ参照）。この第２の動作モードにおいて、前記記憶済みのコンテンツ以外のコンテンツの表示を要求する所定の操作、例えば、他のサイトのジャンプ（移動）操作を受け付けると、この情報表示装置は、前記第１の動作モードに復帰して、次画面データの読み出し（必要なネットワーク経由での情報取得）を行って次画面を表示する（図２の符号１００Ｄ参照）。
【００２０】
前記次画面の表示の完了あるいは、前記次画面の表示と並行して、情報表示装置は、前記表示した次画面のデータ、即ち、表示コンテンツをその第２処理部２０Ａのメモリ２２に記憶する。また、情報表示装置は、次画面の表示完了、あるいは、次画面表示後から所定時間の経過といった任意のタイミングで、第２の動作モードに遷移する（図３の符号１００Ｄ参照）。第２の動作モードに遷移すると、少なくとも第１処理部１０Ａが非動作状態またはスリープ状態になるため、第１の動作モードと比較して消費電力が低減する。
【００２１】
その後、情報表示装置は、ユーザから受け付けた操作内容が拡大・縮小操作等（スクロールも可）のメモリ２２に記憶済みの内容を用いて表示できる内容である限りにおいて、第２の動作モードで動作を続ける（図３の符号１００Ｅ参照）。一方、前記記憶済みのコンテンツ以外のコンテンツの表示を要求する所定の操作、例えば、他のサイトのジャンプ（移動）操作を受け付けると、この情報表示装置は、前記第１の動作モードに復帰して、次画面データの読み出し（必要なネットワーク経由での情報取得）を行って次画面を表示する（図３の符号１００Ｆ参照）。
【００２２】
以上のように、本発明の一実施形態によれば、情報表示装置の種類や用途毎に定めた所定のタイミングで、第２の動作モードに遷移するよう構成することで、情報表示機器の消費電力を低減させることができる。もちろん、図５に示したように、所定時間の無操作等、所定の条件が成立すると、前記第１、第２処理部１０Ａ、２０Ａをともに非動作状態またはスリープ状態にして、ディスプレイを消灯状態にした省電力モードに遷移するようにしてもよい。また、この省電力モードにおいて、入力イベントの発生等、所定の条件が成立すると、前記第１、第２の動作モードのいずれかに復帰し、上述した動作モードの遷移を継続するようにしてもよい。
【００２３】
［第１の実施形態］
続いて、本発明の第１の実施形態について図面を参照して詳細に説明する。図５は、本発明の第１の実施形態の情報表示装置の構成を表したブロック図である。図５を参照すると、第１処理部１０と、第２処理部２０と、ディスプレイ３０と、操作部４０と、外部周辺回路５０とを備えた構成が示されている。
【００２４】
第１処理部１０は、演算処理を行なうＣＰＵ（Ｃｅｎｔｒａｌ  Ｐｒｏｃｅｓｓｉｎｇ  Ｕｎｉｔ）１１、メモリ１２、ＣＰＵ１１の指示に従ってディスプレイ３０への画面表示処理を行なう表示制御部（ビデオコントローラ）１３、その他の周辺回路１４を含み、表示装置の各部を制御するユニットである。
【００２５】
外部周辺回路５０は、第１処理部１０に含まれていない、その他の機能を実現するための回路である。例えば、情報表示装置が携帯電話端末である場合、外部周辺回路５０には、ユーザから要求されたコンテンツを受信するための無線通信ユニット等が該当する。同様に、情報表示装置が電子ブックリーダーである場合、フラッシュメモリ等に格納された電子ブックコンテンツを読み出すユニットが外部周辺回路５０に該当する。
【００２６】
ディスプレイ３０は、ＬＣＤ（Ｌｉｑｕｉｄ  Ｃｒｙｓｔａｌ  Ｄｉｓｐｌａｙ）や、有機ＥＬ（Ｏｒｇａｎｉｃ  Ｅｌｅｃｔｒｏ−Ｌｕｍｉｎｅｓｃｅｎｃｅ）ディスプレイ等の表示装置である。操作部４０は、ハードウェアキーやポインティングデバイスあるいはディスプレイに重畳されたタッチパネル等によって構成される。
【００２７】
第２処理部２０は、ディスプレイ３０に表示されている表示画面データ２２１および復帰領域データ２２２を記憶するためのメモリ２２と、ＣＰＵ２１の指示に従ってディスプレイ３０への画面表示処理を行なう第２の表示制御部（ビデオコントローラ）２３と、メモリ２２への表示画面データ２２１および復帰領域データ２２２の保存や、操作部４０から受け付けたユーザの操作内容に応じてメモリ２２に保存したデータを用いてディスプレイ３０への表示を行うＣＰＵ２１とを含んで構成される。このような第２処理部２０は、いわゆるオフライン表示を実現するものであるため、オフライン表示処理部と呼ぶこともできる。
【００２８】
第２処理部２０のＣＰＵ２１は、ユーザの操作に応じたディスプレイ３０への表示を行うに足りる性能を持っていればよいため、第１処理部１０のＣＰＵ１１よりも、消費電力の低いものを採用できる。また、第２処理部２０は、外部周辺回路５０との通信や周辺回路１４の制御も不要である。このため、第２処理部２０は、第１処理部１０より低い消費電力で動作することが可能である。
【００２９】
上記のような構成は、既存の情報表示装置に、上述した第２処理部２０を追加した構成にて実現することもできる。また、図５の例では、ディスプレイ３０および操作部４０と、外部周辺回路５０との間に、第１処理部１０および第２処理部２０を直列に配設したレイアウトとしているが、ディスプレイ３０および操作部４０に対し、第１処理部１０および第２処理部２０を並列に接続した構成であってもよい。
【００３０】
ここで、本実施形態の情報表示装置が有する動作モードについて説明する。第１の動作モードは、図６に示すように、第１処理部１０がアクティブ状態（動作状態）、第２処理部２０がスリープ状態（非アクティブ状態）となって、第１処理部１０が直接ディスプレイ３０および操作部４０を制御している状態である。また、この第１の動作モードでは、外部周辺回路５０との通信も可能であるため、必要に応じて、補助記憶装置やネットワークから表示コンテンツを取得することができる。
【００３１】
また、この第１の動作モードは、従来の情報処理装置がディスプレイ３０をオンにして動作している状態に相当し、周辺回路１４や外部周辺回路５０によって達成される画面表示以外の機能が同時に動作している状態に相当する。
【００３２】
一方、第２の動作モードは、図７に示すように、第１処理部１０がスリープ状態（非アクティブ状態）、第２処理部２０がアクティブ状態（動作状態）となって、第２処理部２０がディスプレイ３０および操作部４０を制御している状態である。また、この第２の動作モードでは、周辺回路１４の制御や外部周辺回路５０との通信は不可能であるが、第１の動作モードと比較して低消費電力で動作することができる。
【００３３】
なお、図１に示した情報表示装置における動作モードの遷移は、情報表示装置を構成するコンピュータに、そのハードウェアを用いて、上記した動作モードの遷移を実行させるファームウェア等のコンピュータプログラムにより実現することもできる。
【００３４】
本実施形態の情報表示装置は、ディスプレイを表示した状態においても、以上の２つの動作モードを切り替えることによって、消費電力を低減する。もちろん、本実施形態の情報表示装置においても、所定時間の無操作状態が継続したことなどを条件に、ディスプレイ３０のバックライト等を消灯する省電力モードを設けてもよい（図４参照）。
【００３５】
続いて、本実施形態の情報表示装置の動作について図面を参照して詳細に説明する。以下の説明では、第１の動作モードでディスプレイ３０への画面表示が完了したタイミングで第２の動作モードに遷移し、第２の動作モードにおいて、メモリ２２に格納されたデータを用いた表示操作（スクロール、拡大・縮小、表示テキスト中の範囲選択等）以外の所定の操作（図９のリンク１０３、ボタン１０４、ハードウェアキー１０５の操作）が行われたことを条件に第１の動作モードに遷移するという条件が定められているものとする。
【００３６】
図８は、本発明の第１の実施形態の情報表示装置の動作を表した流れ図である。図８を参照すると、本実施形態の情報表示装置は、電源投入操作、ユーザ入力、外部からデータ受信等のイベントが発生すると、第１処理部１０がアクティブ状態になった第１の動作モードにて動作し（図６参照）、発生したイベントに応じた内容をディスプレイ３０に表示する（ステップＳ００１）。
【００３７】
ここでは、あるサイトへの接続操作がなされ、図９に示すような画面が表示されたものとする。図９に示す画面の表示が完了するまでは、情報表示装置１００は、第１の動作モードにて動作を継続する（ステップＳ００２のＮＯ）。図９に示す画面の表示が完了すると（ステップＳ００２のＹＥＳ）、情報表示装置の第２処理部２０が起動し図９に示す表示画面イメージをメモリ２２に表示画面データ２２１として保存する（ステップＳ００３）。
【００３８】
次に、情報表示装置の第２処理部２０は、メモリ２２に保存した表示画面データ２２１を解析し、第２のモードから第１のモードへの復帰条件となる復帰領域データ２２２を生成し、メモリ２２に保存する。この復帰領域データ２２２は、例えば、図１０に示すように、表示画面中のリンク１０３の領域や、ボタン１０４の領域を示す座標データである。復帰領域データ２２２は、表示画面中のリンク１０３や、ボタン１０４の選択操作、起動操作がなされたか否かを判別するために使用される。
【００３９】
前記表示画面データ２２１と復帰領域データ２２２の保存が完了すると、情報表示装置は、第１処理部１０をスリープ状態にし（図７参照）、第２の動作モードで動作を開始する（ステップＳ００５）。第２の動作モードでは、図７に示すように、第１処理部１０と外部周辺回路５０は、スリープ状態（非アクティブ状態）にあるため、消費電力量が低下する。または、第２の動作モードでは、第２処理部２０がアクティブ状態となり、メモリ２２に保存された表示画面データ２２１を用いて対応可能な範囲で、ユーザからのスクロール操作等に応じた表示制御を行なう（ステップＳ００６のＮＯ）。
【００４０】
具体的には、図９のテキスト表示「Ｅｘａｍｐｌｅ  Ｐａｇｅ」や「Ｅｘａｍｐｌｅ  ｔｅｘｔ」は、ユーザがタップ（クリック）操作しても画面表示の切り替えを必要としないため、第２の動作モードでの動作が継続される。また、ユーザが図９のスクロールボタン１０２をタップ（クリック）操作した場合、ページ表示範囲が移動するが、メモリ２２に保存した表示画面データ２２１を用いて表示可能であるので、第２の動作モードでの動作が継続される。
【００４１】
その後、ユーザにより前記復帰領域データ２２２への操作等（図９のリンク１０３、ボタン１０４、ハードウェアキー１０５の操作）がなされるなど、第１の動作モードへの復帰条件が成立した場合（ステップＳ００６のＹＥＳ）、情報表示装置は、第１の動作モードにて動作を開始する（ステップＳ００１へ）。
【００４２】
ここで、操作部４０としてタッチパネルが備えられている場合を例に挙げて、図８のステップＳ００５、Ｓ００６の詳細動作（第２の動作モード）について、図１１を参照して詳細に説明する。
【００４３】
図１１は、図８のステップＳ００５〜Ｓ００６における具体的な処理の例を説明するための流れ図である。図１１を参照すると、まず、第２処理部２０は、状態変数［ＩｓＤＯＷＮ］を初期化する（ステップＳ１００）。この変数は、ユーザがスクロール操作をしているか否かの状態を示すためのものであり、スクロール中であれば“Ｔｒｕｅ”、スクロール中でなければ“Ｆａｌｓｅ”値が設定される。
【００４４】
その後、第２の動作モードで動作中に（ステップＳ１０１〜Ｓ１０２のＮＯ）、ユーザ入力イベントが検出されると（ステップＳ１０２のＹＥＳ）、第２処理部２０は、タッチダウンイベントであるか否かを判定する（ステップＳ１０３）。タッチダウンイベントは、ユーザの指等によるタッチパネルの押下が検出された場合に発生するイベントである。
【００４５】
タッチダウンイベントが発生した場合（ステップＳ１０３のＹＥＳ）、第２処理部２０は、スクロール操作である否かを判定する（ステップＳ１０４）。ここで、スクロール操作でないと判定した場合（ステップＳ１０４のＮＯ）、第２処理部２０は、検出された座標を初期座標として保存し、状態変数［ＩｓＤＯＷＮ］を“Ｔｒｕｅ”に設定する（ステップＳ１０５）。ここで保存された初期座標を“ＰｏｉｎｔＡ”とする。
【００４６】
一方、タッチダウンイベントの発生が継続しており（ステップＳ１０３のＹＥＳ）、かつ、スクロール操作である（状態変数［ＩｓＤＯＷＮ］＝“Ｔｒｕｅ”）と判定した場合（ステップＳ１０４のＹＥＳ）、第２処理部２０は、検出された座標“ＰｏｉｎｔＢ”を保存し、ステップＳ１０５で保存した初期座標ＰｏｉｎｔＡとの距離（ΔＬ）を算出する（ステップＳ１０６）。
【００４７】
次に、第２処理部２０は、メモリ２２から前記算出した距離（ΔＬ）の分だけスクロールさせた表示画面イメージを取得する（ステップＳ１０７）。そして、第２処理部２０は、前記取得した表示画面イメージを用いてディスプレイ３０の表示内容を更新する（ステップＳ１０８）。以上により、第１処理部１０を起動することなく、第２処理部２０にてユーザのスクロール操作に対応する表示画面の更新が行われる。
【００４８】
一方、ユーザ入力イベントが検出され（ステップＳ１０２のＹＥＳ）、かつ、タッチアップイベントが検出されると（ステップＳ１０９のＹＥＳ）、第２処理部２０は、状態変数［ＩｓＤＯＷＮ］を“Ｆａｌｓｅ”にリセットする（ステップＳ１１０）。
【００４９】
次に、第２処理部２０は、タッチアップが検出された座標をＰｏｉｎｔＣとして保存し（ステップＳ１１１）、ステップＳ１０５で保存した初期座標ＰｏｉｎｔＡとタッチアップ座標ＰｏｉｎｔＣが一致するか否かを確認する（ステップＳ１１２）。ここで、初期座標ＰｏｉｎｔＡとタッチアップ座標ＰｏｉｎｔＣが一致しない場合は、ユーザのスクロール操作が終わったことを示すので、第２処理部２０は、復帰不要と判定し、ステップＳ１０１に戻る（ステップＳ１１２のＮＯ）。
【００５０】
一方、初期座標ＰｏｉｎｔＡとタッチアップ座標ＰｏｉｎｔＣが一致する場合は、いわゆるタップ操作が行われたことになる。この場合、第２処理部２０は、メモリ２２から復帰領域データ２２２を取得して（ステップＳ１１３）、復帰領域データ２２２に示す領域内でタップが行われたか否かを確認する（ステップＳ１１４）。ここで、タッチアップ座標ＰｏｉｎｔＣが復帰領域データ２２２に示す領域外である場合、第２処理部２０は、復帰不要と判定し、ステップＳ１０１に戻る（ステップＳ１１４のＮＯ）。
【００５１】
一方、タッチアップ座標ＰｏｉｎｔＣが復帰領域データ２２２に示す領域内である場合（ステップＳ１１４のＮＯ）、第２処理部２０は、復帰条件成立と判定する（ステップＳ１１５）。その後は、図８のステップＳ００１に戻って、リンク１０３起動、ボタン１０４起動といったユーザの指示に応じた処理が開始される。
【００５２】
また、例えば、図９のハードウェアキー１０５の押下等、タッチダウンでもタッチアップでもないユーザ入力イベントが発生している場合（ステップＳ１０９のＮＯ）、第２処理部２０は、その他のイベントが発生したものとして判断し（ステップＳ１１６）、第２処理部２０は、復帰条件成立と判定する（ステップＳ１１７）。
【００５３】
以上のように、本実施形態によれば、表示中の画面に対するユーザの操作に応じた更新表示を行いうる第２処理部２０を設け、必要のないときには、電力消費の大きい第１処理部を極力動作させないようにしたため、情報表示装置の消費電力の低減を実現し、バッテリによる動作時間を長くすることができる。
【００５４】
また、上記のような動作モードの遷移は、既存のディスプレイのバックライトのオンオフ等を主体とした省電力モードへの遷移やスタンバイモードへの遷移とは異なり、ユーザに動作モードの遷移を意識させないという使いやすさを実現するものとなっている。
【００５５】
なお、上記した実施形態では、図９、図１０の画面サンプルを用いて説明したが、表示画面データ２２１として保存するデータは、ディスプレイ３０の表示範囲のデータに限られない。例えば、図１２に示すように、ディスプレイ領域１０１の表示可能範囲１０６ではなく、スクロールボタン１０２にてスクロール可能な範囲１０７を表示画面データ２２１として保存するようにしてもよい。
【００５６】
また、上記した実施形態では、第２処理部２０の負荷を低減し第２の動作モードにおける消費電力が少なくなるよう、表示画面データ２２１から座標を取得して、リンク１０３やボタン１０４の押下を検出する方式を採用したが、第２処理部２０に第１処理部１０と同様のコンテンツ表示処理を行わせて、表示中のコンテンツから、リンク１０３押下イベントやボタン１０４の押下イベントを検出した場合に、第１の動作モードに復帰するようにしてもよい。
【００５７】
また、上記した実施形態では、スクロール操作に対し第２の動作モードにて動作を続ける例を挙げて説明したが、拡大・縮小操作（ピンチ操作）に対応できるように、表示画面データ２２１を保存しておけば、図３に示したように、拡大・縮小操作に対しても第２の動作モードにて動作を続けることが可能である。また、表示中のアプリケーション等によって、ダブルタップ（ダブルクリック）やスワイプ操作等によって特定の表示更新操作がなされる場合にも同様に適用することが可能である。
【００５８】
また、上記した実施形態では、リンク１０３がタップされた場合に第１の動作モードに復帰するものとして説明したが、予め第１処理部１０にてリンク先のコンテンツを読み込んでおき、これを表示画面データ２２１として保存しておくことも可能である。このような先読み処理を行うことにより、リンク先の表示操作に対してもユーザが求める表示を行いつつ第２の動作モードにて動作を続けることが可能である。
【００５９】
また、上記した実施形態では、操作部４０としてタッチパネルが備えられている例を挙げて説明したが、マウス、キーボード、ボタンなど、一般的な入力装置を用いる場合にも適用することが可能である。
【００６０】
また、上記した実施形態では、第１処理部１０に、ＣＰＵ１１、メモリ１２、表示制御部１３、周辺回路１４が備えられているものとして説明したが、第１処理部１０の構成要素は限定されず、情報表示装置の種類や用途によって適宜変更しうる。同様に、第２処理部２０の構成も上述した第２動作モードと同様のユーザの操作に対応する表示を行いうる構成であればよい。また、情報表示装置の種類や用途によっては、図１に示したように、外部周辺回路５０を省略した形態もありうる。
【００６１】
また、上記した実施形態では、画面の表示が完了したタイミングで第１の動作モードから第２の動作モードに遷移するものとして説明したが、情報表示装置の種類や用途、あるいは、ユーザが利用中の機能やアプリケーションプログラムの種類によっては、画面の表示後、ユーザが、直ちに表示関連以外の操作を行うことが多いことも考えられる。この場合には、画面表示後から所定時間の経過を条件に第１の動作モードから第２の動作モードに遷移するようにしてもよい。また、すべての画面表示に適用するのではなく、適用対象とする機能やアプリケーションプログラムの種類を限定することもできる。
【００６２】
また、上記した実施形態では、第２処理部２０が画面表示イメージをメモリ２２に保存するものとして説明したが、第１の動作モードにおいて、第１処理部１０が逐次メモリ２２に画面表示イメージを保存するようにしてもよい。また、上記した実施形態では、第１処理部１０および第２処理部２０が、それぞれ独立したメモリを有するものとして説明したが、第１処理部１０および第２処理部２０がメモリを共有する構成や、一方が他方のメモリを参照する構成も採用可能である。
【００６３】
また、上記した実施形態では、情報表示装置は１つのディスプレイ３０を備えるものとして説明したが、複数のディスプレイを備える場合には、第１の動作モードと、第２の動作モードで使用するディスプレイを切り替えてもよい。
【００６４】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００６５】
１０、１０Ａ  第１処理部
１１  ＣＰＵ
１２  メモリ
１３  表示制御部
１４  周辺回路
２０、２０Ａ  第２処理部
２１  ＣＰＵ
２２  メモリ
２３  表示制御部
３０  ディスプレイ
４０  操作部
５０  外部周辺回路
１００、１００Ａ〜１００Ｇ  情報表示装置
１０１  ディスプレイ領域
１０２  スクロールボタン
１０３  リンク
１０４  ボタン
１０５  ハードウェアキー
１０６  表示可能範囲
１０７  スクロール可能な範囲
２２１  表示画面データ
２２２  復帰領域データ
【図１】
2013114452.tif 000003
【図２】
2013114452.tif 000004
【図３】
2013114452.tif 000005
【図４】
2013114452.tif 000006
【図５】
2013114452.tif 000007
【図６】
2013114452.tif 000008
【図７】
2013114452.tif 000009
【図８】
2013114452.tif 000010
【図９】
2013114452.tif 000011
【図１０】
2013114452.tif 000012
【図１１】
2013114452.tif 000013
【図１２】
2013114452.tif 000014